Podtech/llm-jp-corpus-v4-ja_patent huggingface dataset:
(57)【要約】      （修正有）【課題】様々な傾斜を設定できるゴルフ練習マットとスタンスマットをセットにしたゴルフ練習器具を提供する。【解決手段】ゴルフ練習マット１の下部に、縦と横の辺に２つだけそれぞれ別々に起こすことができる、傾斜を付けるための長方形の針金状の横辺の足４、５を蝶番９で取り付けた。また傾斜のある練習マットにボールが置けるようにゴムまたはシリコン状の輪７を糸８でゴルフ練習マット１に繋いで用意した。【選択図】図１
2015134189.tif 000002
【特許請求の範囲】
【請求項１】
縦約２５ｃｍ×横約４５ｃｍの従来の練習マットの下部に、縦と横の辺に２つだけそれぞれ別々に起こすことができる、傾斜を付ける長方形の針金状の横辺の足を蝶番で取り付け、その横辺の足を９０度起こし固定すると練習マットが前上がりになり、さらに練習マットを右に１８０度回転させることにより前下がり、また縦辺の足を９０度起こし固定すると右足上がり、練習マットを右に回転させると右足下がりに傾斜を変えることができるようになり、また傾斜のある練習マットにボールが置けるようにゴムまたはシリコン状の輪を本体に糸で繋いだ、傾斜を設定できるゴルフ練習マット。
【請求項２】
スタンスも傾きを付けられるように、スタンス幅の円形のゴムマットまたは人工芝マットを用意し、傾斜を付けた同じ大きさの円形の軽量の滑り止めの付いた樹脂製の台の上に貼り付け、そのスタンスマットを回転させることによって、ゴルフ練習マットと同様な傾斜を作れるようにし、またスタンスマットは円形で大きくなるため蝶番を利用して半分にできるようしたもので、ゴルフ練習マットとセットにしたスタンスマット。
【発明の詳細な説明】
【技術分野】
【０００１】  本発明は、ゴルフ練習マットとスタンスマットを共に傾斜設定できるゴルフ練習器具に関するものである。
【背景技術】
【０００２】  従来の練習マットは平たんな場所に置くだけで、平坦な所からの練習をするだけで様々な傾斜での練習はできなかった。
【発明の概要】
【発明が解決しようとする課題】
【０００３】  平坦なところはほとんど無いのが本コースあるため、平坦な場所での練習マット上での練習は、実践とは違い、右足加重と言っても右足上がりでの加重はどうするのか迷ってしまい、慣れていないが故に上手くいかないことが多かった。【０００４】  そこでボールが様々な傾斜のある状態を練習マット、スタンスマットで作り、体重のかかり具合、ボールの飛び出し方向、打ち出し角度、打ち出し距離を練習にて普段から様々な傾斜から打つことを体感し慣れておき、実践で成功する確率を上げることを目的とする。
【課題を解決するための手段】
【０００５】  上記目的を達成するため、本発明は、縦約２５ｃｍ×横約４５ｃｍの従来の練習マットの下部に、横と縦の辺に２つだけそれぞれ別々に起こすことができる、傾斜を付ける長方形の形をした針金状の足を横辺に蝶番で取り付け、その横辺の足を９０度起こし固定すると練習マットが前上がりになり、練習マットを右に１８０度回転させると前下がり、また縦辺の足を９０度起こし固定すると右足上がり、マットを回転させると右足下がりに傾斜を変えることができるようにしてあり、また傾斜のある練習マットにボールが置けるようにゴムまたはシリコン状の輪を本体に糸で繋いで用意し、スタンスも傾きを付けられるように、スタンス幅の円形のゴムマットまたは人工芝マットを用意し、傾斜を付けた同じ大きさの円形の軽量の滑り止めの付いた樹脂製の台の上に貼り付け、そのスタンスマットを回転させることによって、練習マットと同様な傾斜を作れるようにした、練習マットとスタンスマットをセットにしたゴルフ練習器具に関するものである。
【発明の効果】
【０００６】  本発明のゴルフ練習マットとスタンスマットを用いて、右足上がり右足下がりは練習マットの傾斜と同じような傾斜でスタンスを取れるということになり、また前上がり前下がりは練習マットがスタンスマットより上がったり下がったりしていなければならないのですが練習マットとスタンスマットの傾斜を同じようにできることで、傾斜の中にスタンスを取っていると言う臨場感を得る事が出来、初心者はより実践的な練習ができ、傾斜のある場所からのショットに慣れるようにしたものであり、上級者に至ってはボールの置かれている所の傾きと違い、スタンスを取る時のアンジュレーションもさらに複雑なものにすることができ、より実践的なアンジュレ−ションを作って実践さながらの練習をすることができるようにしたものである。
【図面の簡単な説明】
【０００７】
【図１】  本発明の練習マットの斜視図である。
【図２】  本発明のスタンスマットの斜視図である。
【発明を実施するための形態】
【０００８】  本発明の実施形態について図面を参照して説明する。図１に、縦約２５ｃｍ×横約４５ｃｍの従来のゴルフ練習マット（１）の下部に、縦と横の辺に２つだけそれぞれ別々に起こすことができる、傾斜を付ける長方形の形をした針金状の横辺の足（４）を蝶番（９）で取り付け、横辺のその足を９０度起こし固定すると練習マットが前上がりになり、さらに練習マットを右に１８０度回転させることにより前下がり、また縦辺の足を９０度起こし固定すると右足上がり、練習マットを回転させると右足下がりに傾斜を変えることができるようにしたものであり、また傾斜のある練習マットにボールが置けるようにゴムまたはシリコン状の輪（７）を本体に糸（８）で繋いで用意し、図２に、スタンスも傾きを付けられるように、スタンス幅の円形のゴムまたは人工芝のスタンスマット（１０）を用意し、同じ大きさの円形の軽量の滑り止めの付いた樹脂製の傾斜を付けるための台（１１）の上に貼り付け、そのスタンスマットを回転させることによって、練習マットと同様な傾斜を作れるようにした、ゴルフ練習マット（１）とスタンスマット（１０）をセットにしたゴルフ練習器具に関するものである。
【符号の説明】
【０００９】１    ゴルフ練習マット
２    人工芝
３    センター白線
４    横辺の足
５    縦辺の足
６    滑り止めを施したゴム状の底
７    輪
８    糸
９    蝶番
１０  スタンスマット
１１  傾斜を付けるための台
１２  半分の大きさにする蝶番の折れ線
１３  半分の大きさにする蝶番
１４  滑り止めを施した底
【図１】
2015134189.tif 000003
【図２】
2015134189.tif 000004
(57)【要約】      （修正有）【課題】断熱性と気密性を有するチャックのある袋を使用して使い捨てカイロを発熱（酸化）終了まで有効に使い、使用途中で捨てる時は使い捨てカイロが冷える（酸化終了）まで安全に保管して捨てる事が出来る袋を提供する。【解決手段】使い捨てカイロが発熱（酸化）可能の間に途中使用停止の時は袋に入れてチャックで密閉して酸素を遮断する。再使用時はチャックを開けて袋から取り出して空気に触れ（酸化）させれば再使用が可能で使い捨てカイロを最後まで使い切れる。また発熱（酸化）途中で使用をやめて捨てる時は袋に入れてチャックを開けたまま空気に触れ（酸化）させれば発熱（酸化）終了まで安全に保管し捨てる事が出来る。【選択図】なし【特許請求の範囲】
【請求項１】
使い捨てカイロの発熱（酸化）をとめる。
【請求項２】
使い捨てカイロを発熱（酸化）終了時まで安全に保管できる。
【発明の詳細な説明】
【技術分野】
【００１】本発明は使い捨てカイロの発熱（酸化）をコントロールする事である。
【背景技術】
【００２】現在使われている使い捨てカイロは製造時密閉された袋で真空にし、使用する時に開封して空気に触れ（酸化）させて使用し冷める（酸化が終わる）のを待ってすてる。
【発明の概要】
【発明が解決しようとする課題】
【００３】現在の使い捨てカイロは１袋１回使用でカイロがまだ使用可能（発熱中）でも不必要になれば冷めるのを待って捨ててしまう。普通の使い捨てカイロで８時間位温かいのに３〜４時間で使用する必要がなくなった時、このまま捨てるのはもったいないし、捨てるのにも温かいまま保管するのに問題がある。
【課題を解決するための手段】
【００４】使い捨てカイロを入れる事ができて、断熱性と気密を保持する事のできるチャックを有する袋を使う。
【発明の効果】
【００５】まだ温かい使用可能なカイロを使用中止する時、この袋にカイロを入れてチャックを閉めて密閉する。中の酸素が無くなればカイロの酸化反応は中断されて発熱をやめる。再使用する時チャックを開けてカイロを取り出して空気に触れさせれば酸化反応が再び始まり発熱する。カイロが温かく使える時間（酸化反応）を最後まで使えて経済的である。【００６】まだ温かい使用可能な発熱中のカイロを止むを得ず捨てる時この袋にカイロを入れてチャックを閉めずに置く。断熱された袋の中で発熱（酸化反応）が終わるのを待ってカイロを捨てれば安全である。
【図面の簡単な説明】
【００７】
【図１】袋の全体図である。
【符号の説明】
【００８】１  断熱性を有する袋２  気密性を有するチャック
2015134140.tif 000002
(57)【要約】【課題】従来の携帯端末ケースは、手が滑ることによる落下、故障から一時的に端末を保護するのもであった。又、片手使用の多さから強奪、盗難、略奪が多発している。【解決手段】ケースと腕輪のシリコンなどで一体化することにより落下及び、盗難から防ぐことができる。【選択図】図１
2015134142.tif 000002
【特許請求の範囲】
【請求項１】
携帯端末カバーと腕輪の一体化による防犯、落下対策。
【請求項２】
シリコンによる一体化
【請求項３】
素材の問題もあるが、携帯端末と腕輪の一体化が防犯、落下、強奪の面においてもっとも重要なものとする。
【発明の詳細な説明】
【技術分野】
【０００１】  この発明は、携帯端末（スマートフォン、タブレット型含む）の盗難、略奪の防止及び落下防止対策としての携帯端末ケースの形状に関する。
【背景技術】
【０００２】  従来の携帯端末ケースは、手が滑ることによる落下、傷、故障から一時的に端末を保護するためのものである。又、片手使用の多さから強盗、盗難、略奪が多発している。
【発明の概要】
【発明が解決しようとする課題】
【０００３】  そこで、この発明は、携帯端末と腕輪（素材別記）を一体化することにより防犯、落下等を防ぐことを課題とする。
【課題を解決するための手段】
【０００４】  以上の課題を解決するために
１、携帯端末ケースと腕輪の一体化を図る。
２、携帯端末ケースと腕輪の分離も可能にする（別記）
【発明の効果】
【０００５】  発明によれば、携帯端末ケースと腕輪をシリコン又はレザーの一体化により盗難及び、落下を防ぐ。
【図面の簡単な説明】
【０００６】
【図１】ケースと腕輪の一体化（ワンボディ）のもの。
【図２】ケースと腕輪の取り外しが可能となる図。
【発明を実施するための形態】
【０００７】  この発明の一実施形態を、図１に示す。
ケースと腕輪のシリコンによる一体化により盗難及び、落下から防ぐ。
図２は、ケースと腕輪の取り外しが可能となる図。
【０００８】  ケースは、シリコン（ハードカバーは強化プラスチック等）素材であるが、腕輪部分はシリコン及びその他（皮、布、織物など）
【０００９】  この実施形態を使用すれば瞬間的な落下、強奪、略奪を防止可能になる。
図２にすれば、取り外し可能になるため端末をポケット、鞄等に収納可能になる。
【産業上の利用可能性】
【００１０】１    携帯端末カバー及び腕輪の一体化
２    一体化による防犯対策
【図１】
2015134142.tif 000003
【図２】
2015134142.tif 000004
(57)【要約】      （修正有）【課題】旅館・ホテル・病院・事務所やその他公共施設等においては、靴を脱いでスリッパを履いて行動しているが、従来のスリッパでは落下物等でつま先が潰れて足先がけが等の被害に遭う危険な問題がある。他にも、使用済のスリッパを人が踏んで凹んだつま先を元に直す手間もある。【解決手段】スリッパ着用者のつま先を保護するためにスリッパ用先芯２を覆い部３に埋設した安全つま先保護スリッパ１。【選択図】図２
2015134143.tif 000002
【特許請求の範囲】
【請求項１】
スリッパの覆い部にスリッパ用先芯を埋設したスリッパであって、スリッパの覆い部とスリッパ用先芯で構成されており、スリッパ用先芯の材質は硬質樹脂・アルミや特殊カーボン等であることを特徴とする安全つま先保護スリッパ。
【請求項２】
本発明のスリッパは左右対１足のスリッパで構成されているものである。請求項１の安全つま先保護スリッパ。
【発明の詳細な説明】
【発明の詳細な説明】
【技術分野】
【０００１】本発明は、旅館・ホテル・病院・事務所やその他公共施設等でのスリッパ着用者のつま先を保護するスリッパに関するものである。
【背景技術】
【０００２】従来、旅館・ホテル・病院・事務所やその他公共施設等でのスリッパ着用者は、そのスリッパが落下物等からつま先を保護されているかは分からないまま履いていた。【０００３】図４で示す凹み部分６のように、落下物等でスリッパのつま先が潰れてしまう。スリッパ着用者は常につま先が危険な状態でいた。【０００４】又、人が踏んでつま先が凹んだ使用済のスリッパを１つ１つ元に直さなければいけない手間がかかっていた。
【発明の概要】
【発明が解決しようとする課題】
【０００５】急な災害などの揺れで高所に置いている物が落下してスリッパに当たり保護されていないスリッパのつま先が被害に遭う危険な問題があった。
また日常、人が机の上や棚の物を誤って落下させてスリッパに当たりつま先が被害にあう問題点もあった。【０００６】他にも、人に踏まれてつま先が凹んだ使用済みスリッパを直してあるかという心配や１つ１つ元に直すという手間の悩みもあった。
【課題を解決するための手段】
【０００７】前記目的を達成するために、本発明はスリッパの弱部のつま先を保護するために覆い部分にスリッパ用先芯を埋設した。【０００８】又、スリッパ用先芯を覆い部分に埋設したことで使用時の圧迫感や違和感の軽減もはかれる。【０００９】安全つま先保護スリッパの実地形態を説明する。本発明に係るスリッパ用先芯２は硬質樹脂・アルミ・特殊カーボン等などからなるものである。
【発明の効果】
【００１０】以上説明したように、本発明の安全つま先保護スリッパはスリッパ用先芯でつま先の弱部をしっかりと保護し落下物等からのけが等の被害を防ぐことができる。【００１１】又、使用済みのスリッパが人に踏まれて凹んでしまったつま先部分の修復が効率的に見込める。
【図面の簡単な説明】
【００１２】
【図１】本発明である安全つま先保護スリッパを示す斜視図である。
【図２】図１のａ線の断面図である。
【図３】本発明の透視斜視図である。
【図４】従来のスリッパの一例の斜視図である。
【発明を実施するための最良の形態】
【実施例】
【００１３】図１は、覆い部３にスリッパ用先芯２が埋設された安全つま先保護スリッパの斜視図である。【００１４】図２は、スリッパ用先芯２が覆い部３に埋設された特徴を示している図１のａ線の断面図である。【００１５】図３は、スリッパ用先芯２を安全つま先保護スリッパ１の覆い部３に埋設した透視斜視図である。スリッパ用先芯２は底部５の位置までになっていて足のつま先を保護する特徴を示している。【００１６】図４は、従来のスリッパは落下物等により覆い部３が凹み部分６のように潰れてしまった一例の斜視図である。この例で示すようにスリッパ着用者のつま先は保護できないことが明らかである。
【産業上の利用可能性】
【００１７】以上説明したように、本発明により足のつま先を落下物等から保護できる安全つま先保護スリッパを提供することができる。
【符号の説明】
【００１８】１  安全つま先保護スリッパ
２  スリッパ用先芯
３  覆い部
４  足底
５  底部
６  凹み部分
【図１】
2015134143.tif 000003
【図２】
2015134143.tif 000004
【図３】
2015134143.tif 000005
【図４】
2015134143.tif 000006
(57)【要約】【課題】健常な人や身体に傷害を持つ人、又、老齢の人にも、運動靴等の踵部分の潰れた箇所を本考案の形状の先端を適切なる折り曲げの湾曲した形状の靴ベラである為、踵部分の潰れた運動靴等の踵部分の引き上げが可能な構造の靴ベラを提供する。【解決手段】図１の１に示す靴ベラの先端部分に適切なる折り曲げの湾曲を形成した形状にする事により，運動靴等の踵部分が引き出せる構造で、図１の２に示すが如く柄を一体化させる事により、腰を曲げたり座ったりすることなく楽に踵部分の潰れた運動靴等の踵部分の引き上げが可能となった運動靴等の靴ベラである。【選択図】図１
2015134141.tif 000002
【特許請求の範囲】
【請求項１】
運動靴等の潰れたかかと部分を引き上げて履くことが可能な形状を持つ靴ベラ。
【請求項２】
請求項１の形状において、柄を設ける事により腰を屈める事なく容易に運動靴等を履く事が可能な形状の靴ベラ。
【発明の詳細な説明】
【技術分野】
【０００１】    この発明は運動靴等の脱ぎ履きがスムーズに行えるに関し、特に、下肢の機能が低下した老人や身体に障害を持つ人に好適な運動靴等の靴ベラに関するものである。【０００２】従来、靴を履く動作を補助する道具として、玄関に置いて使用される長尺の靴ベラは、運動靴等の踵部分が潰れている状態において使用する事が困難である。【０００３】長尺の靴ベラを用いて運動靴等を履く場合、この踵部分が潰れている場合においては、どうしても下肢を大きく屈曲させた不自然な体勢が強いられる。【０００４】健常者であれば、片足で体を支えながら上記動作を行うことにより運動靴等を履くことができるが、下半身に麻痺等の障害を持つ人にとってはそのような動作を行うことは不可能である。【０００５】図１の形状は請求項１に示すが如く、運動靴等の潰れた踵部分を引き上げる事が可能な形状とした、この為運動靴等の潰れた踵部分を引き上げる事が可能となった。
【発明の概要】
【発明が解決しようとする課題】
【０００６】従来の靴ベラでは、踵部分の潰れた運道靴等を引き上げる事が不可能であったが本考案の靴ベラの形状はその目的において可能となった。【０００７】本発明は以上のような従来の靴ベラにおける課題を考慮してなされたものであり、健常者であっても、また、体に障害を持つ人であっても踵部分の潰れた運動靴等の脱ぎ履きが確実且つスムーズに行える事を提供するものである。
【課題を解決するための手段】
【０００８】本発明は、ヘラ部と、このヘラ部の上面に設けられる柄部とを一体化させた形状であって、運動靴等の踵部分を引き出す形状の先端部分を最も適切なる引き出し可能な形状の湾曲を設けて構成される形状の先端部を特徴とする運動靴等の踵部分を引き出す形状の靴ベラである。【０００９】
【発明の効果】
【００１０】本発明の運動靴等の靴ベラは、健常者であっても、また、体に障害を持つ人であっても運動靴等を履く事が、腰を屈めたり座ったりせずに確実且つスムーズに行えるという長所を有する。
【図面の簡単な説明】
【００１１】
【図１】本発明に係る本案の全体の形状を示す。図１の１は運動靴等の踵部分を引き出す目的の形状の靴ヘラ。図１の２は本案の靴ベラに固定された柄を示す。
【図２】本案の形状の平面図及び上下面図、左右面図を示す。
【図３】運動靴等の踵部分を引き上げる形状を示す。図３の１は本考案の運動靴等の靴ベラ  図３の２は運動靴等の先端部分  図３の３は人体の足部
【図４】運動靴等に踵部分を挿入する形状を示す。
【図５】踵を靴内に収めた後、靴ベラを引き出した形状を示す。
【発明を実施するための形態】
【００１８】以下、図面に示した実施の形態に基づいて本発明を説明する。
【００１２】図１において、本発明の図の１は、湾曲した形状を設けた事により運動靴等の潰れた踵部分を用意に引き出す事が可能な形状であり、円弧状に湾曲し弾性を有するヘラ部１と、この柄部２を一体化させた構造であり、ポリプロピレン樹脂、ナイロン樹脂、ポリエチレン樹脂、ポリカーボネート樹脂等によって一体成形する事が可能である。
【図１】
2015134141.tif 000003
【図２】
2015134141.tif 000004
【図３】
2015134141.tif 000005
【図４】
2015134141.tif 000006
【図５】
2015134141.tif 000007
(57)【要約】【課題】本発明は、各種容器等に合った多種素材を材料とした物をスタンドにし逆さまに差し込むことにより、倒れず安定し水が切れるスタンドです。本発明は、以上のような構造である。この水切りスタンドを利用する事により、効率的かつ、効果的に各種容器を洗い流せ乾燥、整理整頓が可能となる。【解決手段】本発明は、水切りスタンドを特徴とする。【選択図】図１
2015134005.tif 000002
【特許請求の範囲】
【請求項１】
水切りスタンド。
【発明の詳細な説明】
【技術分野】
【０００１】
本発明は、各種容器を洗った時に、逆さまにして水を切る行為に関するものである。
【背景技術】
【０００２】
従来、各種容器を洗った時に、逆さまにし水を抜きますが、平らな所に置いた状態では、不安定で倒れてしまいまた、乾燥しにくく整理整頓が出来ませんでした。
【先行技術文献】
【特許文献】
【０００３】
【非特許文献】
【０００４】
【発明の概要】
【発明が解決しようとする課題】
【０００５】
解決しようとする問題点は、各種容器を洗った時に、逆さまにし水を抜きますが、平らな所に置いた状態では、不安定で倒れてしまい乾燥しにくく整理整頓が出来ませんでした。ゆえに、家事仕事をスムーズに行えます。本発明は以上のような欠点をなくすために、なされたものである。
【課題を解決するための手段】
【０００６】
本発明は、各種容器に対応した水切りスタンドである。
【発明の効果】
【０００７】
本発明の水切りスタンドは、各種容器を逆さまにした状態でも倒れず、シンク周りの整理整頓が可能である。
【図面の簡単な説明】
【０００８】
【図１】本発明の平面図・断面図
【発明を実施するための形態】
【０００９】
以下、本発明を実施するための最良の形態について説明する。
各種容器等に合った多種素材を材料とした物をスタンドにし逆さまに差し込むことにより、倒れず安定し水が切れるスタンドです。
本発明は、以上のような構造である。
この水切りスタンドを利用する事により、効率的かつ、効果的に各種容器を洗い流せ乾燥、整理整頓が可能となる。
【符号の説明】
【００１０】
１    水切りスタンド
【図１】
2015134005.tif 000003
(57)【要約】【課題】  ボウリング投球手袋を提供する。【解決手段】  人さし指先と小指先の間に、ブリッジ固定用ベルトを通しブリッジ部分をリンクさせた。【選択図】図１
2015104659.tif 000002
【特許請求の範囲】
【請求項１】
ボウリング投球手袋の手の平側に、指の根元上に、ブリッジ固定用ベルトを設けて、人さし指先を通りブリッジして、小指先を通り指の根元上まで、ブリッジ固定用ベルトを、リンクさせたことを特徴とする。
【請求項２】
ブリッジ部分に、長円形状の、指抜き差し穴を設ける。
【発明の詳細な説明】
【技術分野】
【０００１】  この発明はボウリング投球手袋に関するものである。
【背景技術】
【０００２】  投球手袋はボウリングボールを、使ってピンを倒すのに利用される。
ボウリング投球手袋は，いろいろな種類があった。
【発明の開示】
【発明が解決しようとする課題】
【０００３】  そのために、次の問題点があった。
（イ）ボウリングボールを片手で、支え方向性を安定させなければいけない。
（ロ）親指中心に、回転させなければいけない。
（ハ）手を後方に振り上げ振りおろし、目標のピン目がけて、正確な投球をしなければならない。
【課題を解決する手段】
【０００４】  ボウリング投球手袋の、人さし指先と小指先の間に、伸び縮み可能なブリッジを設け、方向性の安定を得る。
親指を中心に、ボウリングボールを、回転させるために球面に対してホウルド性を、人さし指と小指の間で発性させる。
投球フオームからの、ボウリングボールを握る力を、ボールの穴から指先を抜き去るまで維持させる。
【発明の効果】
【０００５】  本発明を使用することによって、ボウリングボールの球面体のホウルド性を高めることができる。
投球フオームからの、ボウリングボールを、後方え振り上げ、振り下げて投球するときに、人さし指先と小指先の間の、ブリッジ部分でボールをホウルドするので、回転性や方向性を、ボールの穴から指先を抜き去るまで維持させることができる。
【発明を実施するための最良の形態】
【０００６】  以下、本発明の実施の形態について説明する。
ボウリング投球手袋（１）の人さし指先と小指先を、ブリッジ部分（２）を設ける。
投球手袋の手の平上に、指の根元に平行にブリッジ固定用ベルト（４）を設け、中指上を通リ指先から、ブリッジ部分（２）を通リ小指先に繋ぐ、小指上を通リ指の根元に、平行に設けられたブリッジ固定用ベルト（４）にリンクさせる。
ボウリング手袋（１）の指抜き部分にあたる、親指抜き部分（７）に、親指を、中指抜き部分（５）に中指（１１）を、薬指抜き部分（６）に薬指（１２）を、それどれ指を入れて投球する。
ボウリング手袋の手の平に設けられた、ブリッジ固定用ベルト（４）のブリッジ部分（２）に、長円形状（３）を設け、ボールの中指穴（９）や薬指穴（１０）に対して、中指（１１）と薬指（１２）の指の抜き差しの邪魔にならないようにした。
【図面の簡単な説明】
【０００７】
【図１】  本発明の正面図
【図２】  本発明の裏面図
【図３】  本発明の実施例を示す平面図
【符号の説明】
【０００８】  １ボウリング用手袋
２ブリッジ部分
３長円形状
４ブリッジ固定用ベルト
５中指抜き部分
６薬指抜き部分
７親指抜き部分
８ボウリングボール
９中指穴
１０薬指穴
１１中指
１２薬指
【図１】
2015104659.tif 000003
【図２】
2015104659.tif 000004
【図３】
2015104659.tif 000005
(57)【要約】      （修正有）【課題】針金ハンガーなどの細いハンガーを使用するとき服の型くずれを防ぐために、ハンガーの両肩に付けるクリップを提供する。【解決手段】クリップの開閉部に閉鎖空間を構成する挟み部２を設け、その先に延伸部３を設けたクリップとする。【選択図】図１
2015104654.tif 000002
【特許請求の範囲】
【請求項１】
つまみ部（１）に力を入れることにより、挟み部（２）が開閉するクリップで、挟み部は、閉じた状態で両挟み部両端縁がかみ合い、閉鎖空間を構成しており、挟み部（２）に延伸部（３）を設けることを特徴とする型くずれ防止ハンガークリップ。
【発明の詳細な説明】
【技術分野】
【０００１】  本発明は、針金ハンガーなどの細いハンガーを使用するとき服の型くずれを防ぐために、ハンガーの両肩に付けるクリップに関するものである。
【背景技術】
【０００２】  従来、針金ハンガーやプラスチック製の細いハンガーは、安価で手に入りやすく、また、かさばらないため、クリーニング店や家庭での洗濯干し用ハンガーとして広く利用されているが、形状がしっかりとした高級ハンガーと比べ、服の型くずれを起こすことがある。そこで、布を針金ハンガーに巻き付けたり、プラスチックなどのカバーを針金ハンガーにはめたりして、服の型くずれを防ぐようなことがなされている。（特許文献１参照）
【先行技術文献】
【特許文献】
【０００３】
【特許文献１】  特許出願２００５−７９９７０
【発明の概要】
【発明が解決しようとする課題】
【０００４】  そのために、次のような問題点があった。
（イ）針金ハンガーやプラスチック製の細いハンガーをそのまま使うと、服の型くずれを起こすことがあった。
（ロ）服の型くずれを防ぐために、布を針金ハンガーに巻き付けたり、プラスチックのカバーを針金ハンガーにはめたりして使うのは煩わしく、手間がかかった。
本発明は、以上のような問題点をなくすためになされたものである。
【課題を解決するための手段】
【０００５】  開閉部にハンガーを挟むための閉鎖空間を構成する挟み部を設け、その先に延伸部を設ける。
本発明は、以上の構成よりなる型くずれ防止ハンガークリップである。
【発明の効果】
【０００６】  ハンガーの両肩にクリップを取り付けると、服をハンガーに掛けたとき、延伸部に服の肩の部分が掛かる。このときハンガーと接する面積が広くなるので、服の肩の部分にかかる力が小さくなり、型くずれを抑えることができる。また、ハンガーに取り付ける煩わしさがなく、取り付けと取り外しが容易であるので必要なときだけ取り付けて使用することができる。
【図面の簡単な説明】
【０００７】
【図１】  本発明の斜視図である。
【図２】  本発明の断面図である。
【図３】  本発明の使用状態を示す正面図である。
【発明を実施するための形態】
【０００８】  以下、本発明を実施するための形態について説明する。
つまみ部（１）に力を入れることにより、挟み部（２）が開閉するクリップである。
（イ）挟み部は、閉じた状態で両挟み部両端縁がかみ合い、閉鎖空間を構成している。
（ロ）挟み部には延伸部（３）を設ける。延伸部は縦に二等分し、両挟み部にそれぞれ設ける。挟み部を閉じたときに延伸部は一枚の板を構成する。
（ハ）延伸部全体はなめらかな曲面で構成されていて、挟み部の長手方向端部に沿って伸び、その延伸部の一端には、つまみ部方向へ向かう曲面部（４）を設ける。
本発明は、以上のような構造である。
使用するときは、挟み部（２）でハンガーを挟み、ハンガーの両肩にクリップを取り付ける。服をハンガーに掛けたとき、延伸部（２）に服の肩の部分が掛かる。このときハンガーと接する面積が広くなるので、服の肩の部分にかかる力が小さくなり、型くずれを抑えることができる。
また、クリップのつまみ部（１）をつまむだけで、ハンガーへの取り付けや取り外しが簡単にできる。
【符号の説明】
【０００９】    １  つまみ部    ２  挟み部    ３  延伸部    ４  曲面部
【図１】
2015104654.tif 000003
【図２】
2015104654.tif 000004
【図３】
2015104654.tif 000005
(57)【要約】【課題】  シート包装の錠剤取り出しは、一般には指先で簡単になる仕様であるが、之がマヒ、その他の事情で普通にならない向きが高齢者によく見られる為、一介の福祉業として細かい操作を減略化した薬体の取り出し器を提供する。【解決手段】  掌に乗るようなサイズにして、シートの挿入部と薬体の取り出し用キーボードを一体構成し、掌なり、卓上なりで手軽るに使える小器とする。【選択図】図２
2015104660.tif 000002
【特許請求の範囲】
【請求項１】
シート包装の錠剤取り出し器に於いて、その一側に、シートの挿入口と薬体の落し穴を設け、之を覆って薬体の押し出し用キーボードを構成したことを特徴とする、シート包装の錠剤取り出し器。
【請求項２】
上記第１項に掲げる「シート包装の錠剤取り出し器」に於いてシート挿入口の対側をＵ字状に切り欠き、之に薄刃体を挟着して、ミニカッター付きに設けたことを特徴とする、シート包装の錠剤取り出し器。
【発明の詳細な説明】
【技術分野】
【０００１】  シート包装の錠剤取り出し手段に係り、指先の機能事情をカバーする器具に関するものである。
【背景技術】
【０００２】  もともとシート包装の薬体取り出しは、指先で押すだけと云う簡単さであるが、之がマヒ、その他の事情で普通にならない向きを支援するに適するものが無かった。
【先行技術文献】
【０００３】
【特許文献１】  特許公開２０００−３２５４３２号
【発明の概要】
【発明が解決しようとする課題】
【０００４】  シート包装の錠剤取り出しに器具を導入し、指先による従来の摘み出し手段を改善する。
【課題を解決する為の手段】
【０００５】  シートを挿入し、その薬体をキー操作で押し出すように設けた器具を提供する。
【発明の効果】
【０００６】１、少しも注意を集中することなく、軽いタッチで薬体が取り出せる。
２、安価に提供できるので、景品などに利用しやすい。
３、付属のミニカッター（菓子袋、インスタント物の開封補助など）により卓上備品が兼ねられる。
【図面の簡単な説明】
【０００７】
【図１】主要構成部材の平面図。
【図２】組立完成の側面図。
【発明を実施する為の形態】
【０００８】  図１に示す甲板（１）、中板（２）、底板（３）は、その一側が三者一致するＵ字状の切り欠き部付きにあって、うち、底板（３）は薬体の落し穴を設けた段状の中接ぎ板で、之に双角状の中板（２）、キーボード部（１ａ）形成の甲板（１）を図２のように重合−固定する。が、この過程で底板（３）と中板（２）の切り欠き部にカッター刃（４）を挟着する。
【符号の説明】
【０００９】（１）  甲板        （１ａ）  キーボード部
（２）  中板
（３）  底板        （３ａ）  シート挿入部
（４）  カッター刃
（５）  シート包装体
【図１】
2015104660.tif 000003
【図２】
2015104660.tif 000004
(57)【要約】      （修正有）【課題】ボールの打球が良く当たり右左と打ち分ける事の出来ることにより、ゴルフがより楽しく、早く上達してスコアーメイクに繋がるチャンネルウルトラフィン風切翼を提供する。【解決手段】ドライバーやユーティリティーのスイング方向を空気抵抗によって変える風切翼イをヘッドの上部に装着する。【選択図】図１
2015104656.tif 000002
【特許請求の範囲】
【請求項１】
ゴルフウッドの上部に風切翼を装着するためのものである。
【請求項２】
風切翼は空気抵抗をドライバーヘッドの方向を変え、ボールの打球の方向を打ち分けるための風切翼である。
【請求項３】
脱着出来るようにしたものでもある。
【発明の詳細な説明】
【技術分野】
【０００１】  クラブヘッドの上部に風切翼を付けた。新発明でゴルフスイングの練習ボールの軌道を修正させる為の風切翼である。
【背景技術】
【０００２】  ゴルフが７年後にオリンピックの競技になる事となり、ゴルフをする人々が多く、自宅で練習場でと素振りが出来、上達するための物である。
【発明の開示】
【発明が解決しようとする課題】
【０００３】  ドライバーやユーティリティーの上部に翼を付け、ゴルフ競技を楽しくし、老若男女がゴルフがより身近になるための、アイテムである。
【課題を解決するための手段】
【０００４】  誰もが、ゴルフウッド、ドライバー、ユーティリティーとなかなか上手くボールに当たらず、上手く飛ばない。それを修正しボールに良く当たるようにしたアイテムである。、
【発明の効果】
【０００５】  ゴルフ業界初の発明した風切翼で、誰もが少し練習しただけで、ゴルフボールに良く当たる画期的なチャンネルウルトラフィンであり、効果は抜群である。
【発明を実施するための最良の形態】
【０００６】  ドライバーやユーティリティーなどの上部に取り付ける事で、ボールが打球が、真直ぐ飛び、また右左と打ち分ける事が出来るウルトラフィンであり、既存のドライバーやユーティリティーに取り付けられるのである。
【実施例】
【０００７】  試作段階ではあるが、ゴルフ業界初の試みであるが、皆が発想に一応に驚いているアイテムである。
【産業上の利用可能性】
【０００８】  ゴルフブームの再来で、またオリンピック競技にもなる事で、大勢の人々がゴルフ競技をする。そこで早く練習し早く上達するために役立つアイテムである。ゴルフ産業界に大いに貢献する可能性大である。
【図面の簡単な説明】
【０００９】
【図１】  図面の名称  Ａ  正面図  Ｂ  側面図  Ｃ  上面図  （ア）チャンネルウルトラフィン  （イ）風切翼  （ウ）ウッド  （エ）シャフト  （オ）フィンの方向直す、右左方向
【図１】
2015104656.tif 000003
(57)【要約】【課題】気密性を向上させることができる光通信用パッケージを得る。【解決手段】レンズ１はメタライズが施された第１のテーパー部２を有する。パイプ３は第２のテーパー部４を有する。レンズ１の第１のテーパー部２とパイプ３の第２のテーパー部４がはんだ５により接合されている。レンズ１の第１のテーパー部２とパイプ３の第２のテーパー部４は同じ角度の傾斜を持つ互いに平行な面である。これにより、はんだ５とレンズ１との接触面積が増え、ボイドの逃げ道が大きくなるため、光通信用パッケージの気密性を向上させることができる。【選択図】図１
2015162549.tif 000002
【特許請求の範囲】
【請求項１】
メタライズが施された第１のテーパー部を有するレンズと、
第２のテーパー部を有するパイプと、
前記レンズの前記第１のテーパー部と前記パイプの前記第２のテーパー部を接合するはんだとを備え、
前記レンズの前記第１のテーパー部と前記パイプの前記第２のテーパー部は同じ角度の傾斜を持つ互いに平行な面であることを特徴とする光通信用パッケージ。
【請求項２】
前記パイプは前記第２のテーパー部の上方に設けられた段差を有し、
前記レンズが前記段差に押し込まれた状態で、前記レンズの前記第１のテーパー部と前記パイプの前記第２のテーパー部が接合されていることを特徴とする請求項１に記載の光通信用パッケージ。
【発明の詳細な説明】
【技術分野】
【０００１】
本発明は、半導体レーザーやフォトダイオードなどの光半導体素子と光学的に結合されるレンズを有する光通信用パッケージに関する。
【背景技術】
【０００２】
光通信用パッケージのパイプにレンズをはんだ接合する際にボイドなどの空気がはんだ内に閉じ込められるとレンズが傾く。これにより、リークパスができてパッケージの気密性が損なわれる。そこで、レンズ傾きを防ぐために、レンズメタライズ部分を２つの環状とすることが提案されている（例えば、特許文献１参照）。
【先行技術文献】
【特許文献】
【０００３】
【特許文献１】特開平１１−２３６０６９号公報
【発明の概要】
【発明が解決しようとする課題】
【０００４】
しかし、パイプとレンズの接合部への異物が噛み込み易くなることで、気密性が損なわれていた。
【０００５】
本発明は、上述のような課題を解決するためになされたもので、その目的は気密性を向上させることができる光通信用パッケージを得るものである。
【課題を解決するための手段】
【０００６】
本発明に係る光通信用パッケージは、下面外周に設けられメタライズが施された第１のテーパー部を有するレンズと、第２のテーパー部を有するパイプと、前記レンズの前記第１のテーパー部と前記パイプの前記第２のテーパー部を接合するはんだとを備え、前記レンズの前記第１のテーパー部と前記パイプの前記第２のテーパー部は同じ角度の傾斜を持つ互いに平行な面であることを特徴とする。
【発明の効果】
【０００７】
本発明では、レンズとパイプの互いに接合される部分にそれぞれ第１のテーパー部と第２のテーパー部を設け、それらを同じ角度の傾斜を持つ互いに平行な面とする。これにより、はんだとレンズとの接触面積が増え、ボイドの逃げ道が大きくなるため、光通信用パッケージの気密性を向上させることができる。即ち、光通信用パッケージの接合部においてボイドや異物が原因による影響を軽減し、光通信用パッケージ内部への外気の侵入を防止することができる。
【図面の簡単な説明】
【０００８】
【図１】本発明の実施の形態１に係る光通信用パッケージを示す断面図である。
【図２】本発明の実施の形態１に係る光通信用パッケージの製造工程を示す断面図である。
【図３】本発明の実施の形態２に係る光通信用パッケージを示す断面図である。
【図４】本発明の実施の形態２に係る光通信用パッケージの製造工程を示す断面図である。
【発明を実施するための形態】
【０００９】
本発明の実施の形態に係る光通信用パッケージについて図面を参照して説明する。同じ又は対応する構成要素には同じ符号を付し、説明の繰り返しを省略する場合がある。
【００１０】
実施の形態１．
図１は、本発明の実施の形態１に係る光通信用パッケージを示す断面図である。レンズ１の下面外周にメタライズが施された第１のテーパー部２が設けられている。パイプ３の上面に第２のテーパー部４が設けられている。レンズ１の第１のテーパー部２とパイプ３の第２のテーパー部４がはんだ５により接合されている。レンズ１の第１のテーパー部２とパイプ３の第２のテーパー部４は同じ角度の傾斜を持つ互いに平行な面である。
【００１１】
図２は、本発明の実施の形態１に係る光通信用パッケージの製造工程を示す断面図である。レンズ１の第１のテーパー部２とパイプ３の第２のテーパー部４との間にワッシャー状のはんだ５を設置する。２３０〜２８０℃に加熱してはんだ５を溶融させてレンズ１の第１のテーパー部２とパイプ３の第２のテーパー部４を接合する。
【００１２】
本実施の形態では、レンズ１とパイプ３の互いに接合される部分にそれぞれ第１のテーパー部２と第２のテーパー部４を設け、それらを同じ角度の傾斜を持つ互いに平行な面とする。これにより、はんだ５とレンズ１との接触面積が増え、ボイドの逃げ道が大きくなるため、光通信用パッケージの気密性を向上させることができる。即ち、光通信用パッケージの接合部においてボイドや異物が原因による影響を軽減し、光通信用パッケージ内部への外気の侵入を防止することができる。
【００１３】
なお、ワッシャー状のはんだ５を使用せずに、パイプ３の第２のテーパー部４にはんだめっきを施して加熱することではんだ接合しても同様の効果が得られる。
【００１４】
実施の形態２．
図３は、本発明の実施の形態２に係る光通信用パッケージを示す断面図である。パイプ３には第２のテーパー部４の上方に鋭角な段差６が設けられている。段差６と第２のテーパー部４にはんだめっき７が施されている。レンズ１が段差６に押し込まれた状態で、レンズ１の第１のテーパー部２とパイプ３の第２のテーパー部４がはんだめっき７により接合されている。
【００１５】
図４は、本発明の実施の形態２に係る光通信用パッケージの製造工程を示す断面図である。レンズ１を段差６に押し込んだ後に加熱してはんだめっき７を溶融させてレンズ１の第１のテーパー部２とパイプ３の第２のテーパー部４を接合する。このようにレンズ１を段差６に押し込んだ状態でレンズ１とパイプ３を接合することで、組み立てが容易になる。
【符号の説明】
【００１６】
１  レンズ、２  第１のテーパー部、３  パイプ、４  第２のテーパー部、５  はんだ、６  段差、７  はんだめっき
【図１】
2015162549.tif 000003
【図２】
2015162549.tif 000004
【図３】
2015162549.tif 000005
【図４】
2015162549.tif 000006
(57)【要約】【課題】  本発明は、台所等で出る、水分を含んだ生ゴミ処理時のわずらわしかったしずくを、簡単にその場で処理する為の水切りゴミ袋を提供しようとする。【解決手段】  本発明は、水分を通す部分と、水分を通さない部分で出来た袋部分から成り立ち、袋部分を反転させ裏返し、生ゴミ部分を覆い込める機能を有した水切りゴミ袋である。【選択図】図１
2015071498.tif 000002
【特許請求の範囲】
【請求項１】
穴や切れ込みを入れて作った透水部分を有す面と、それと同じ機能の中面と、水分を通さない覆い込み袋部分を有した、水切りゴミ袋で、二カ所の開口部を有する三つ折り、又はそれにマチを加え畳んで単純に張り合わせる形態にし、おもに単一素材にてコストをかけずに製造出来る、単体で水気のあるゴミを処理出来る、覆い込み機能付き水切りゴミ袋。
【発明の詳細な説明】
【技術分野】
【０００１】本発明は、生ゴミ等の処理の際、折り返して付帯させた袋部分を裏返し、たれてしまう水分を簡単に包んでしまう機能を備えたゴミ処理用ゴミ袋に関するものである。
【背景技術】
【０００２】従来は、生ゴミ等を水切り後、他のビニール袋等を用意して処理しなければならず、手間のかかる物であり、包み込む袋がついていても複雑でコストもかかり、使用しづらい形態であった。
【先行技術文献】
【特許文献】
【０００３】
【特許文献１】  登録実用新案  昭６２−１３２００４号広報
【特許文献２】  登録実用新案  平１−１２６９４２号広報
【発明の概要】
【発明が解決しようとする課題】
【０００４】従来の収納袋付き水切りネットは複雑な形や、いくつかの素材を合わせて作るため、生産コストも悪く使用しずらかった。
また一般の水切りゴミ袋や、水切り不織布ゴミ袋を捨てる場合、水分を切ってもポタポタと汚水が垂れて処理しずらかった。
別のビニール袋を用意したり、床を汚したりしがちであった。
また、大きなゴミ袋にそのまま入れると汚水が漏れゴミ箱を汚したりしていた。【０００５】本発明は、この様な従来の生ゴミ袋が有していた問題を解決しようとするものであり、単一の元反から作れる構造で、コストの削減も出来、水分を含んだゴミを、他の袋等用意せず、簡単に処理出来るようにしたもので有る。
【課題を解決する為の手段】
【０００６】そこで、本発明にあたっては、上記課題を解決する為、水分を含んだゴミの水切り部分と、汚水を垂らさず覆い込む袋部からなる単純な形態にした。
【発明の効果】
【０００７】水切り部分と覆い込み部分の単純な三層構造にする事により、ポタポタと垂れる水分を気にせず、その場で素早く清潔に処理できる袋になる。
【図面の簡単な説明】
【０００８】
【図１】  本発明の平面図
【図２】  本発明の立体を示す図
【図３】  本発明の作成イメージ図
【図４】  本発明の使用例の図
【発明を実施する為の形態】
【０００９】以下本発明の形態について、図面を参照しつつ詳細に説明すれば、図１、は実施例を表すもっとも一般的な形態の水切りゴミ袋を表すが、ナイロンやポリ素材に水切りの為の穴が（１）と（２）に配置してあり、開口部（４）から生ゴミ等を入れ、それを包み込む為の（３）部分を、開口部（５）から裏返し（１）（２）に溜ったゴミを包み込む構造に成っている。
開口部は生ゴミ等を入れる（４）と覆い込む袋部の（５）の二カ所からなり、単一の元反から作り出す事ができる。
【０００１０】なお、本発明における水分を通す穴の形状、（１）（２）の配置の割合や形状は限定されず、大きさ、素材により変える事が可能であり、上下（４）（５）、また、左右やそのいずれかにマチが入る事もある。
水切り部（１）（２）と水分やゴミを覆う部分（３）の大きさは同じとは限らない。
ネットや、不織布と水分を通さないナイロンやポリとの、異素材の組み合わせにおいての、同じ形態も可能である。
【符号の説明】
【０００１１】１水切り部とそうでない外側部分
２水切り部とそうでない中層部分
３水分の漏れない覆う袋になる外側部分
４開口部
５開口部
６マチ
７水切り穴
８張り合わせる辺
【図１】
2015071498.tif 000003
【図２】
2015071498.tif 000004
【図３】
2015071498.tif 000005
【図４】
2015071498.tif 000006
(57)【要約】      （修正有）【課題】保冷容器における従来の欠点に鑑み、保冷容器の空間容積を最小限に調整し、かつ冷却材と保冷容器内の商品を密着させ保冷効果を高めた保冷容器を提供する。【解決手段】保冷容器上部開閉部に前後左右の交わる面にマジックテープ（登録商標）を装着し、保冷容器閉鎖時に前後左右の面を交互に重ねて保冷容器と商品を密着させる。前後左右面側の端は底から全て縫製圧着、熱シールで固定をせず容器に入れる商品の高さに合わせて自在を有し上部を閉じる。【選択図】なし【特許請求の範囲】
【請求項１】
表面をナイロン、ポリエチレン、ポリエステル、アルミ蒸着シートで覆い、その内部に発泡ウレタン、発泡ポリエチレン、発泡スチロールの断熱材を挟み込んだシート状の物を縫製、圧着、熱シールで固定し立方体、直方体を形成する保冷容器。
【請求項２】
前記保冷容器の上部は開放され、前後左右の上側をマジックテープで各前後左右１枚毎に交互に重ねて固定する事により庫内の密閉性を高める保冷容器。
【請求項３】
前後左右の側は容器内に入れる商品の高さに合わせて、底から容器の前後左右の端を縫製、圧着、熱シールなどで固定する保冷容器。
【請求項４】
天面に掛かる、前後左右面側の端は底から全て縫製圧着、熱シールで固定をせず容器に入れる商品の高さに合わせて自在を有し上部を閉じる保冷容器。
【請求項５】
容器内で保冷する商品の高さに合わせて密閉し、空間の密度を最小限にする事により保冷効果を高める保冷容器。
【請求項６】
容器内で保冷する商品と冷却材の氷、ドライアイス、蓄冷材を密着させる事により保冷効果を高め、冷却材の使用量を減量する事が可能とする保冷容器。
【発明の詳細な説明】
【技術分野】
【０００１】本発明は商品を冷凍冷蔵庫で保管、冷凍冷蔵車で移動して輸送に使用される保冷容器に関する。
【背景技術】
【０００２】従来の保冷容器では、保冷容器に入れる商品の寸法や積載量によって容器内上部に空間出来る事により、その空間により保冷効率が悪くなる。【０００３】従来の保冷容器では、冷却材の氷、ドライアイス、蓄冷材が移動中の振動などで、商品と常に密着する事が出来ない事があり保冷効果が悪くなる。【０００４】従来の保冷容器では、冷却材の氷、ドライアイス、蓄冷材を固定する為に保冷容器上蓋の裏面にポケットを設けて固定するが商品との距離が出来る事により保冷効果が悪い。
【発明の概要】
【発明が解決しようとする課題】
【０００５】本発明は、従来の欠点に鑑み、商品と冷却材を密着させ、容器内の空間容積を最小限にして冷却効率を高める。
【課題を解決する為の手段】
【０００６】保冷容器上部開閉部に前後左右の交わる面にマジックテープを装着し、保冷容器閉鎖時に前後左右の面を交互に重ねて保冷容器と商品を密着させる。
前後左右面側の端は底から全て縫製圧着、熱シールで固定をせず容器に入れる商品の高さに合わせて自在を有し上部を閉じる
【発明の効果】
【０００７】本発明によって、保冷容器内の商品と冷却材を固定密着させる事により保冷容器内の容積を最小限にする事により保冷効果を高める。
【０００８】保冷容器内の商品と冷却材を固定密着させる事により保冷効果が高まり、冷却材の使用量を減少する事が出来る。
【図面の簡単な説明】
【０００９】
【図１】本発明に係わる保冷容器を開放した時の斜視図。
【図２】図１の内部に商品を最大入れて閉じた斜視図。
【図３】図１の内部に商品を最小入れて閉じた斜視図。
【図４】本発明に係わる保冷容器を開放した上面図。
【図５】図４の閉じた上面図。
【図６】図４の開放した前面図。
【図７】図４の開放した側面図。
【図８】本発明に係わる保冷容器に商品を最大入れて閉じた側面図。
【図９】図８の商品を最小入れて閉じた側面図。
【図１０】本発明に係わる保冷容器を開放した時の側面図。
【図１１】図１０の正面図。
【図１２】本発明に係わる保冷容器に商品と冷却材を入れた断面図。
【図１３】本容器係わる保冷容器を構成する生地の断面図。
【図１４】図１３の固定するマジックテープを装着した生地の断面図。
【発明を実施するための形態】
【００１０】図１に示す、本発明を実施する形態において１は本発明の保冷容器で、この保冷容器１は表面をナイロン、ポリエチレン、ポリエステル、アルミ蒸着シート３で覆い、その内部に発泡ウレタン、発泡ポリエチレン、発泡スチロールの断熱材４を挟んだ構造で縫製、圧着、熱シールで固定し立方体、直方体を形成する保冷容器。
【００１１】前記保冷容器の上部は開放され、前後左右の上側をマジックテープ３で各前後左右１枚毎に交互に重ねて固定する事により庫内の密閉性を高める保冷容器。
【００１２】前後左右の側は容器内に入れる商品６の高さに合わせて、底から容器の前後左右の端を縫製、圧着、熱シールなどで固定する保冷容器。
【００１３】天面に掛かる、前後左右面側の端は底から全て縫製圧着、熱シールで固定をせず容器に入れる商品６の高さに合わせて自在を有し上部を閉じる保冷容器。
【００１４】容器内で保冷する商品６の高さに合わせて密閉し、空間の密度を最小限にする事により保冷効果を高める保冷容器。
【００１５】容器内で保冷する商品６と冷却材５の氷、ドライアイス、蓄冷材を密着させる事により保冷効果を高め、冷却材５の使用量を減量する事が可能とする保冷容器。
【符号の説明】
【００１６】１：保冷容器
２：マジックテープ
３：表面シートのナイロン、ポリエチレン、ポリエステル、アルミ蒸着シート
４：内部断熱材の発泡ウレタン、発泡ポリエチレン、発泡スチロール
５：冷却材
６：商品
【図１】
2015071449.tif 000002
【図２】
2015071449.tif 000003
【図３】
2015071449.tif 000004
【図４】
2015071449.tif 000005
【図５】
2015071449.tif 000006
【図６】
2015071449.tif 000007
【図７】
2015071449.tif 000008
【図８】
2015071449.tif 000009
【図９】
2015071449.tif 000010
【図１０】
2015071449.tif 000011
【図１１】
2015071449.tif 000012
【図１２】
2015071449.tif 000013
【図１３】
2015071449.tif 000014
【図１４】
2015071449.tif 000015
(57)【要約】【課題】多様な屋根に容易に設置できるせっぴ安心フェンスを提供する。【解決手段】支柱（２）に可動式留め具部材（３）を取付けたせっぴ安心フェンスを特徴とする。【選択図】図１
2015071935.tif 000002
【特許請求の範囲】
【請求項１】
支柱（２）に可動式留め具部材（３）を設けた。
【発明の詳細な説明】
【技術分野】
【０００１】      本発明は、大雪の際に雪が屋根からせりだす雪庇の防止として、多様な屋根に容易に設置できるせっぴ安心フェンスを提供する。
【背景技術】
【０００２】      従来は、屋根の形状に合わせて受注製造を行っていた。
【先行技術文献】
【特許文献】
【０００３】
【特許文献１】  特開２００８−１５６９８１号公報
【発明の概要】
【発明が解決しようとする課題】
【０００４】    従来、雪庇防止フェンスの設置には、屋根形状に合わせたフェンスを製造するため納期とコストがかかる。そのため、冬の取付が難しかった。
本発明は、それを解決するためになされたものである。
【課題を解決するための手段】
【０００５】亜鉛メッキしたフェンス（１）に支柱（２）と可動式留め具部材（３）をボルト（４）で固定する。
可動式留め具部材（３）にすることにより、勾配や垂直等多様な形状の屋根に取付が可能になる。
【発明の効果】
【０００６】    支柱を屋根の形状に合わせて可動式留め具部材（３）の角度を調整して設置できるようになるため、多様な屋根に設置が可能になる。
しかも、亜鉛メッキしたフェンス（１）、支柱（２）、可動式留め具部材（３）は規格化できるため、受注後の納期も短縮できる。
支柱（２）と可動式留め具部材（３）をボルト（４）で固定できる容易に設置が可能になる。
【図面の簡単な説明】
【０００７】
【図１】本発明の正面図である。
【図２】本発明の側面図である。
【発明を実施するための形態】
【０００８】以下、本発明の実施の形態について説明する。
（イ）．亜鉛メッキしたフェンス（１）に支柱（２）と可動式留め具部材（３）をボルト（４）で固定する。
（ロ）．屋根への設置は、可動式留め具部材（３）を屋根の勾配に合わせてボルト（４）で固定する。
【符号の説明】
【０００９】１  亜鉛メッキしたフェンス
２  支柱
３  可動式留め具部材
４  ボルト
【図１】
2015071935.tif 000003
【図２】
2015071935.tif 000004